(57)【要約】【課題】簡単な構造で導入コストが安価であり、鮮明な画像で耳の内部を観察でき、衛生面での信頼性が高い検視具を提供する。【解決手段】撮像管２１０はその先端部に耳の内部を撮像する撮像レンズと撮像レンズに隣接して設けられ耳の内部を照明する照明部とを備え、本体部２２０の先端部には撮像管２１０を貫通させる貫通部を有するキャップ部２３０が備えられ、撮像管２１０には撮像管２１０の全周を保護する保護チューブ２１２が装着され、キャップ部２３０の貫通部には保護チューブ２１２の端部を撮像管２１０との間で保持する保持部２３５が形成され、キャップ部２３０は、本体部２２０の周方向に沿う第１方向に回転させると撮像管２１０の突出方向（矢印Ｐ方向）とは反対の方向に移動して先端部に固定され、第１方向とは反対の第２方向に回転させると撮像管２１０の突出方向に移動して先端部から外れ保持部で保持していた保護チューブ２１２を撮像管２１０の突出方向に移動させる。【選択図】図１
2017225571.tif 000002
【特許請求の範囲】
【請求項１】
耳道内に挿入され耳の内部を撮像する撮像管と、
前記撮像管が先端部から突出する本体部と、を備えた検視具であって、
前記撮像管はその先端部に前記耳の内部を撮像する撮像レンズと前記撮像レンズに隣接して設けられ前記耳の内部を照明する照明部とを備え、
前記本体部の前記先端部には前記撮像管を貫通させる貫通部を有するキャップ部が備えられ、
前記撮像管には前記撮像管の全周を保護する保護チューブが装着され、
前記キャップ部の前記貫通部には前記保護チューブの端部を前記撮像管との間で保持する保持部が形成され、
前記キャップ部は、前記本体部の周方向に沿う第１方向に回転させると前記撮像管の突出方向とは反対の方向に移動して前記先端部に固定され、前記第１方向とは反対の第２方向に回転させると前記撮像管の突出方向に移動して前記先端部から外れ前記保持部で保持していた前記保護チューブを前記撮像管の突出方向に移動させることを特徴とする検視具。
【請求項２】
耳道内に挿入され耳の内部を撮像する撮像管と、
前記撮像管が先端部から突出する本体部と、を備えた検視具であって、
前記撮像管はその先端部に前記耳の内部を撮像する撮像レンズと前記撮像レンズに隣接して設けられ前記耳の内部を照明する照明部とを備え、
前記本体部の前記先端部には前記撮像管を貫通させ前記撮像管の全周を保護する保護部を有するキャップ部が備えられ、
前記キャップ部は、前記本体部の周方向に沿う第１方向に回転させると前記撮像管の突出方向とは反対の方向に移動して前記先端部に固定され、前記第１方向とは反対の第２方向に回転させると前記撮像管の突出方向に移動して前記先端部から外れることを特徴とする検視具。
【請求項３】
前記撮像レンズと前記照明部は、前記撮像管内で径方向に並べて配置されることを特徴とする請求項１または２に記載の検視具。
【請求項４】
前記撮像レンズは前記照明部が発生する熱によって耳道内の湿度による曇りが防止されることを特徴とする請求項１から３のいずれかに記載の検視具。
【請求項５】
前記照明部はＬＥＤであり、前記撮像レンズには光ファイバを介してカメラが接続されていることを特徴とする請求項１から４のいずれかに記載の検視具。
【請求項６】
前記カメラは前記本体部に内蔵されていることを特徴とする請求項５に記載の検視具。
【請求項７】
前記本体部の先端部には係止片が設けられ、前記キャップ部には係合溝が設けられ、前記キャップ部を前記先端部に突き当てて、前記キャップ部を前記第１方向に回転させると前記係合溝に前記係止片が係合し、前記キャップ部が前記撮像管の突出方向とは反対の方向に移動し、前記キャップ部を前記第２方向に回転させると前記係合溝が前記係止片から外れるまで、前記キャップ部が前記撮像管の突出方向に移動することを特徴とする請求項１から６のいずれかに記載の検視具。
【請求項８】
前記保護チューブは、前記撮像管の先端部よりも突出した状態で前記撮像管の全周を保護することを特徴とする請求項１に記載の検視具。
【請求項９】
前記保持部は、前記キャップ部の前記貫通部から前記撮像管の突出方向に沿って突出した突起であり、前記貫通部の径は前記撮像管の径と同一か前記撮像管の径よりも大きく、前記貫通部は前記保護チューブの端部を突き当てる突き当て部を有し、前記突起の表面から前記撮像管の表面までの距離は前記保護チューブの厚みと同一か前記保護チューブの厚みよりも小さいことを特徴とする請求項１に記載の検視具。
【請求項１０】
前記キャップ部の保護部は、前記撮像管の先端部よりも突出した状態で前記撮像管の全周を保護することを特徴とする請求項２に記載の検視具。
【請求項１１】
前記保護部は、前記キャップ部と一体的に形成されていることを特徴とする請求項２に記載の検視具。
【発明の詳細な説明】
【技術分野】
【０００１】
本発明は、耳道内および鼓膜といった耳の内部を観察するための検視具に関する。
【背景技術】
【０００２】
耳の内部の手入れは、人はもちろんのこと、中小動物においても必要とされる。人間の耳道清掃は習慣的に多様な清掃方法で行われている。人間の耳道の構造は水平で、直線の構造が普通であり、多少湾曲している人もいる。一方、中小動物の耳道の構造は下方内面に曲線状で先端に鼓膜がありかつ耳道が細い。耳の内部には乾性耳垢、湿性耳垢、ふけ状耳垢等の様々な状態の耳垢が発生する。特に中小動物では、耳の内部にダニやシラミなどの微小動物が寄生しやすいため耳道、鼓膜、鼓膜付近が汚染されやすく、鼓膜の病気は非常に多い。このため、人および中小動物において早期に耳の内部の異常を発見するためには、耳の内部を定期的に検視して、耳の内部を手入れすることが望まれる。
【０００３】
下記特許文献１には、耳孔内部の３次元画像の撮像やスペクトル画像を撮像することによって、耳の内部の炎症や感染症についての診断ができる検耳鏡が開示されている。
【先行技術文献】
【特許文献】
【０００４】
【特許文献１】特開２０１４−１３８８５８号公報
【発明の概要】
【発明が解決しようとする課題】
【０００５】
しかし、特許文献１に開示されている検耳鏡では、耳の内部の炎症や感染症についての診断が改善できるものの、検耳鏡としての装置自体が大掛かりであり、耳鼻咽喉科や動物病院で手軽に用いることができない。また、中小動物の鼓膜の治療をするにも耳道や鼓膜付近を簡単に検視できる低価格の検視具は存在していないため、上記の検耳鏡の導入には大きなコストがかかり、小規模の耳鼻咽喉科や動物病院で上記の検耳鏡を購入することは難しい。
【０００６】
多くの病院では上記のような検耳鏡を導入したいという要望はある。しかし、大掛かりな装置でしかも導入コストが高いため、その導入に二の足を踏んでいる病院は多数ある。
【０００７】
また、動物病院において、耳の内部を鮮明な画像により観察したいという要望が多い。しかし、特許文献１に開示されている検耳鏡を用いても、耳道内の湿度が人間と比較して高いとされる動物の耳の内部を、カメラのレンズを曇らせることなく観察することは難しい。
【０００８】
さらに、検耳鏡は、感染防止のため、通常は使用後に、耳道内に挿入された部分を消毒する作業が必要になる。このため、作業効率が良いとは言えず、衛生面での信頼性も懸念される。
【０００９】
本発明は、このような従来の数々の要望に応えるためになされたものであり、簡単な構造で導入コストが安価であり、鮮明な画像で耳の内部を観察でき、衛生面での信頼性が高い検視具の提供を目的とする。
【課題を解決するための手段】
【００１０】
上記目的を達成するための本発明に係る検視具は、耳道内に挿入され耳の内部を撮像する撮像管と、撮像管が先端部から突出する本体部と、を備えた検視具であって、撮像管はその先端部に耳の内部を撮像する撮像レンズと撮像レンズに隣接して設けられ耳の内部を照明する照明部とを備え、本体部の先端部には撮像管を貫通させる貫通部を有するキャップ部が備えられ、撮像管には撮像管の全周を保護する保護チューブが装着され、キャップ部の貫通部には保護チューブの端部を撮像管との間で保持する保持部が形成され、キャップ部は、本体部の周方向に沿う第１方向に回転させると撮像管の突出方向とは反対の方向に移動して先端部に固定され、第１方向とは反対の第２方向に回転させると撮像管の突出方向に移動して先端部から外れ保持部で保持していた保護チューブを撮像管の突出方向に移動させることを特徴とする。
【００１１】
上記目的を達成するための本発明に係る他の検視具は、耳道内に挿入され耳の内部を撮像する撮像管と、撮像管が先端部から突出する本体部と、を備えた検視具であって、撮像管はその先端部に耳の内部を撮像する撮像レンズと撮像レンズに隣接して設けられ耳の内部を照明する照明部とを備え、本体部の先端部には撮像管を貫通させ撮像管の全周を保護する保護部を有するキャップ部が備えられ、キャップ部は、本体部の周方向に沿う第１方向に回転させると撮像管の突出方向とは反対の方向に移動して先端部に固定され、第１方向とは反対の第２方向に回転させると撮像管の突出方向に移動して先端部から外れることを特徴とする。
【発明の効果】
【００１２】
本発明に係る検視具によれば、簡易な構造で導入コストが安価となり、鮮明な画像で耳の内部を観察でき、衛生面で高い信頼性が確保できる。
【図面の簡単な説明】
【００１３】
【図１】実施形態１に係る検視具を備えた耳道検視装置の構成図である。
【図２】実施形態１に係る検視具の撮像管および本体部の側面図である。
【図３】実施形態１に係る検視具のキャップ部の一部破断側面および断面を示す図である。
【図４】実施形態１に係る検視具の透視図である。
【図５】実施形態１に係る検視具を透視するとともにキャップ部の貫通部の断面を示す図である。
【図６】実施形態１に係る検視具の本体部および撮像管の断面図である。
【図７】実施形態１に係る検視具の動作の説明図である。
【図８】実施形態１に係る検視具の動作の説明図である。
【図９】実施形態１に係る検視具の動作の説明図である。
【図１０】実施形態１に係る検視具の動作の説明図である。
【図１１】実施形態１に係る検視具の動作の説明図である。
【図１２】実施形態１に係る検視具の動作の説明図である。
【図１３】実施形態２に係る検視具の構成図である。
【図１４】実施形態２に係る検視具のキャップ部の一部破断側面および断面を示す図である。
【図１５】実施形態２に係る検視具の透視図である。
【図１６】実施形態２に係る検視具の動作の説明図である。
【図１７】実施形態２に係る検視具の動作の説明図である。
【図１８】実施形態２に係る検視具の動作の説明図である。
【発明を実施するための形態】
【００１４】
以下に、本発明に係る検視具を［実施形態１］と［実施形態２］とに分けて詳細に説明する。
【００１５】
［実施形態１］
実施形態１は、鮮明な画像で、耳道内および鼓膜といった耳の内部を観察でき、耳の内部の観察後に保護チューブを交換できる、検視具である。
【００１６】
［耳道検視装置の構成］
図１は、実施形態１に係る検視具を備えた耳道検視装置の構成図である。図１に示すように、耳道検視装置１００は、検視具２００、制御装置３００およびディスプレイ４００を備える。
【００１７】
検視具２００は、人間、動物の耳の内部を検視（観察）することができる。検視具２００は、耳道内に挿入され耳の内部を撮像する撮像管２１０と、先端部から撮像管２１０が突出する本体部２２０と、を備える。
【００１８】
撮像管２１０は、図１では示していないが、耳道内に挿入される側の先端部に耳の内部を撮像する撮像レンズと、耳の内部を照明する照明部と、を備える。照明部は撮像レンズに隣接して先端に設けてある。照明部の余熱で撮像レンズを暖めて撮像レンズの曇りを防止するためである。撮像管２１０には着脱自在の円筒状の保護チューブ２１２が装着される。保護チューブ２１２は撮像管２１０の全周を保護する。保護チューブ２１２の長さは、撮像管２１０の突出部分の長さよりも長い。撮像レンズと照明部が耳道に接触しないようにするためである。また、保護チューブ２１２は耳道内壁を傷つけないように可撓性のある柔らかい材質で形成することが望ましい。
【００１９】
撮像管２１０が突出する本体部２２０の先端部には、回転させることによって先端部に着脱自在なキャップ部２３０が取り付けられる。キャップ部２３０は撮像管２１０を貫通させる貫通部を有する。貫通部には保護チューブ２１２の端部を撮像管２１０との間で保持する保持部２３５が形成される。保護チューブ２１２を撮像管２１０の先端方向からスライドさせて撮像管２１０に被せ保護チューブ２１２の先端を保持部２３５に潜り込ませると保護チューブ２１２が保持部２３５で保持される。
【００２０】
キャップ部２３０は、本体部２２０の周方向に沿う第１方向（たとえば右方向）に回転させると撮像管２１０の突出方向（矢印Ｐ方向）とは反対の方向に移動して本体部２２０の先端部に固定される。また、キャップ部２３０は、第１方向とは反対の第２方向（たとえば左方向）に回転させると撮像管２１０の突出方向（矢印Ｐ方向）に移動して本体部２２０の先端部から外れ保持部で保持していた保護チューブ２１２を撮像管の突出方向に移動させる。
【００２１】
本体部２２０内には図示しないカメラが内蔵される。カメラと撮像レンズとは光ファイバで接続される。したがって、撮像レンズが捕えた耳の内部の画像は、光ファイバを介してカメラに伝送される。カメラは本体部２２０の後端部から引き出されているケーブル２５０を介して制御装置３００に接続される。なお、実施形態１ではカメラを本体部２２０内に設けているが、撮像レンズにカメラを直接取り付けても良い。その場合のカメラの外形寸法は２〜４ｍｍ程度である。
【００２２】
制御装置３００は、制御部３３０と画像処理部３６０とを備える。制御部３３０は、本体部２２０が備えるカメラおよび照明部、画像処理部３６０の動作を統括的に制御する。画像処理部３６０は、カメラから送られてくる画像を処理し、ディスプレイ４００に表示させる。
【００２３】
［耳道検視装置の動作］
実施形態１に係る検視具２００を用いるときには、キャップ部２３０を本体部２２０の先端部に取り付け、撮像管２１０に保護チューブ２１２を被せ、保護チューブ２１２をキャップ部２３０の保持部２３５で保持させる。その状態で撮像管２１０の先端部を耳道内に挿入し、ディスプレイ４００に映る画像を見ながら耳の内部の状態を観察する。
【００２４】
耳の内部の状態の観察が終了したときには、キャップ部２３０を本体部２２０の先端部から外し、撮像管２１０の突出方向に移動した保護チューブ２１２を撮像管２１０から取り外し、キャップ部２３０を本体部２２０から取り外す。
【００２５】
上記のように、実施形態１に係る検視具２００の構造は簡易である。また、制御装置３００とディスプレイ４００は安価な汎用品の使用が可能である。したがって、実施形態１に係る検視具２００および耳道検視装置１００は、簡単な構造で導入コストが安価となる。また、照明部の熱で撮像レンズの曇りが防止できるので、鮮明な画像で耳の内部を観察できる。さらに、保護チューブ２１２は使用の度に交換できるので、衛生面で高い信頼性が確保できる。
【００２６】
［検視具の構成］
次に、図２から図６に基づいて、実施形態１に係る検視具２００の構成を詳細に説明する。図２は、実施形態１に係る検視具２００の撮像管２１０および本体部２２０の側面図である。
【００２７】
図２は、実施形態１に係る検視具２００の撮像管２１０および本体部２２０の側面図である。
【００２８】
本体部２２０の先端部２２２から撮像管２１０が突出されている。先端部２２２は、テーパーの角度が緩やかな第１テーパー部２２４と、第１テーパー部よりもテーパーの角度が急な第２テーパー部２２６と、から構成される。第１テーパー部２２４には先端部２２２の周方向に一定の角度間隔で係止片２２８が設けられている。
【００２９】
図３は、実施形態１に係る検視具２００のキャップ部２３０の一部破断側面および断面を示す図である。
【００３０】
キャップ部２３０は、図２に示した先端部２２２の形状に沿うように形成された碗状の中空形状を有する。キャップ部２３０は、図２に示した撮像管２１０を貫通させる貫通部２３２が形成されている。貫通部２３２には、撮像管２１０との間で保護チューブ２１２（図１参照）を保持する保持部２３５が形成されている。
【００３１】
保持部２３５は、キャップ部２３０の貫通部２３２から撮像管２１０の突出方向に沿って突出した突起である。貫通部２３２の径は撮像管２１０の径と同一か撮像管２１０の径よりも大きい。貫通部２３２は図１に示した保護チューブ２１２の端部を突き当てる突き当て部２３８を有する。保持部２３５の表面から撮像管２１０の表面までの距離は保護チューブ２１２の厚みと同一か保護チューブ２１２の厚みよりも小さい。
【００３２】
キャップ部２３０の内周部には図２に示した係止片２２８と係合する係合溝２３４が周方向に一定の角度間隔で備えられている。
【００３３】
したがって、キャップ部２３０を図２に示した先端部２２２に突き当てて、キャップ部２３０を第１方向（たとえば右方向）に回転させると係合溝２３４に係止片２２８が係合し、キャップ部２３０は撮像管２１０の突出方向とは反対の方向（図２の右方向）に移動して本体部２２０の先端部２２２に堅固に固定される。
【００３４】
一方、キャップ部２３０を第１方向とは反対の第２方向（たとえば左方向）に回転させると係合溝２３４が係止片２２８から外れるまで、キャップ部２３０が撮像管２１０の突出方向（図２の左方向）に移動する。
【００３５】
キャップ部２３０の最も径が大きい端部にはすべり止め溝２３６が形成されている。すべり止め溝２３６は、Ａ−Ａ断面に示したように、キャップ部２３０の全周に亘って設けられている。
【００３６】
図４は、実施形態１に係る検視具２００の透視図である。図５は、実施形態１に係る検視具２００を透視するとともにキャップ部２３０の貫通部２３２の断面を示す図である。図６は、実施形態１に係る検視具２００の本体部２２０および撮像管２１０の断面図である。
【００３７】
本体部２２０の先端部２２２にはキャップ部２３０が取り付けられる。キャップ部２３０は、先端部２２２に設けた係止片２２８と自身の係合溝２３４とによって、堅固に本体部２２０に取り付けられる。本体部２２０から突出している撮像管２１０は、キャップ部２３０の貫通部２３２を貫通している。貫通部２３２には、Ｂ−Ｂ断面に示したように、１２０度の角度差で周方向に設けた３つの保持部２３５が設けられている。保護チューブ２１２は、キャップ部２３０の貫通部２３２の突き当て部２３８から撮像管２１０の先端部まで撮像管２１０の全周を保護する。
【００３８】
保護チューブ２１２は、図５に示すように、その端部が突き当て部２３８に突き当てられて撮像管２１０と保持部２３５との間に入り込み、保持部２３５によって保持される。保護チューブ２１２は撮像管２１０の長さよりも長くなっている。保護チューブ２１２は、図４に示すように、撮像管２１０の先端部よりも突出した状態で撮像管２１０の全周を保護する。
【００３９】
キャップ部２３０は、第１方向（たとえば右方向）とは反対の第２方向（たとえば左方向）に回転させると、キャップ部２３０と保護チューブ２１２とが撮像管２１０の突出方向（図示の左方向）に移動する。
【００４０】
このため、保護チューブ２１２の端部が突き当て部２３８によって押され、保護チューブ２１２の先端部は撮像管２１０の先端部から大きく外れ、保護チューブ２１２の先端部をつまみやすくなる。このため、保護チューブ２１２の交換が容易になる。
【００４１】
図５および図６に示すように、本体部２２０には、耳の内部を撮像するカメラ２４０が内蔵されている。カメラ２４０には光ファイバ２４５が取り付けられている。光ファイバ２４５は、撮像管２１０内を通り撮像管２１０の先端部に設けられている撮像レンズ２６０までつながっている。したがって、撮像レンズ２６０には光ファイバ２４５を介してカメラ２４０が接続されていることになる。また、撮像レンズ２６０と照明部としてのＬＥＤ２７０は撮像管２１０の先端部内でその径方向に並べて配置されている。
【００４２】
このため、撮像レンズ２６０はＬＥＤ２７０が発生する熱によって耳道内の湿度による曇りが防止される。なお、実施形態１ではＬＥＤ２７０のみで耳の内部を照射しているが、ＬＥＤ２７０に加えて撮像管２１０の先端部の外周に沿ってＬＥＤを配置させても良い。
【００４３】
［検視具の動作］
図７から図１２は、実施形態１に係る検視具２００の動作の説明図である。まず、検視具２００を使用するときには、図７および図８に示すように、キャップ部２３０の貫通部２３２を撮像管２１０に挿入し、キャップ部２３０が先端部２２２に突き当たるまで、キャップ部２３０を撮像管２１０に沿って図示の矢印方向に滑らせる。
【００４４】
キャップ部２３０が先端部２２２に突き当たると、図９に示すように、キャップ部２３０を第１方向（図では右方向）に回転させる。すると、図３に示した係合溝２３４が図２の係止片２２８と係合され、キャップ部２３０は図示の矢印方向にさらに移動して、本体部２２０に堅固に取り付けられる。この状態で、図１０に示すように、保護チューブ２１２を図５に示した突き当て部２３８に当たるまで図示の矢印方向に移動させ、保護チューブ２１２の端部が保持部２３５で保持されるようにする。
【００４５】
この状態で、撮像管２１０は保護チューブ２１２で覆われて保護されるので、撮像管２１０を耳道内に挿入して耳の内部の状態を観察する。耳の内部の状態を観察している間は、図６に示したＬＥＤ２７０が点灯し、カメラ２４０によって耳の内部の状態が撮像される。耳道内の湿度は、動物の種類によっては高いものがあるが、ＬＥＤ２７０の熱によって撮像レンズ２６０が暖められているので、撮像レンズ２６０が曇ることはない。
【００４６】
耳の内部の状態の観察が終了したら、図１１に示すように、キャップ部２３０を第２方向（図では左方向）に回転させる。すると、図３に示した係合溝２３４が図２の係止片２２８から外され、キャップ部２３０は図示の矢印方向に移動する。このため、保護チューブ２１２は図５に示したキャップ部２３０の突き当て部２３８の移動につれて図示の矢印方向に移動して、保護チューブ２１２が撮像管２１０から取り外しやすくなる。
【００４７】
取り外しやすくなった保護チューブ２１２は操作者によって図１２に示すように、その端をつまんで図示の矢印方向に移動され、撮像管２１０から取り外される。
【００４８】
以上のように、実施形態１に係る検視具によれば、従来のものに比較して簡易な構造であるので導入コストが安価となり、撮像レンズ２６０の曇りを防止する工夫がされているので鮮明な画像で耳の内部を観察でき、さらに、保護チューブ２１２の交換が可能であるので衛生面で高い信頼性が確保できる。
【００４９】
［実施形態２］
実施形態２は、実施形態１の保護チューブ２１２に相当する部分をキャップ部２３０と一体化したものである。実施形態２の検視具も、鮮明な画像で耳の内部を観察でき、耳の内部の観察後に保護チューブを交換できる。
【００５０】
図１３は、実施形態２に係る検視具の構成図である。実施形態２の検視具２００Ａが実施形態１の検視具２００と異なるのはキャップ部２３０Ａの構造だけである。その他の部分の構成は実施形態１と同一である。
【００５１】
図１３に示すように、検視具２００Ａは、耳道内に挿入され耳の内部を撮像する撮像管２１０Ａと、先端部から撮像管２１０Ａが突出される本体部２２０Ａと、を備える。
【００５２】
撮像管２１０Ａは、図１３では示していないが、耳道内に挿入される側の先端部に耳の内部を撮像する撮像レンズと、耳の内部を照明する照明部と、を備える。照明部は撮像レンズに隣接して設けてある。照明部の熱で撮像レンズを暖めて撮像レンズの曇りを防止するためである。本体部２２０Ａの先端部には撮像管２１０Ａを貫通させ撮像管２１０Ａの全周を保護する保護部２３７Ａを有するキャップ部２３０Ａが備えられる。保護部２３７Ａは、キャップ部２３０Ａと一体的に形成されている。
【００５３】
キャップ部２３０Ａの保護部２３７Ａは、撮像管２１０Ａの先端部よりも突出した状態で撮像管２１０Ａの全周を保護する。撮像管２１０Ａの先端部に設けた撮像レンズと照明部が耳道に接触しないようにするためである。
【００５４】
キャップ部２３０Ａは、本体部２２０Ａの周方向に沿う第１方向（たとえば右方向）に回転させると撮像管２１０Ａの突出方向（矢印Ｐ方向）とは反対の方向に移動して本体部２２０Ａの先端部に固定される。また、キャップ部２３０Ａは、第１方向とは反対の第２方向（たとえば左方向）に回転させると撮像管２１０Ａの突出方向（矢印Ｐ方向）に移動して本体部２２０Ａの先端部から外れる。
【００５５】
本体部２２０Ａ内には図示しないカメラが内蔵される。カメラと撮像レンズとは光ファイバで接続される。したがって、撮像レンズが捕えた耳の内部の画像は、光ファイバを介してカメラに伝送される。
【００５６】
図１４は、実施形態２に係る検視具２００Ａのキャップ部２３０Ａの一部破断側面および断面を示す図である。
【００５７】
キャップ部２３０Ａは、図２に示した先端部２２２の形状に沿うように形成された碗状の中空形状を有する。キャップ部２３０Ａは、図２に示した撮像管２１０を貫通させ撮像管２１０Ａの全周を保護する保護部２３７Ａを有する。
【００５８】
キャップ部２３０Ａの内周部には図２に示した係止片２２８と係合する係合溝２３４Ａが周方向に一定の角度間隔で備えられている。
【００５９】
したがって、キャップ部２３０Ａを図２に示した先端部２２２に突き当てて、キャップ部２３０Ａを第１方向（たとえば右方向）に回転させると係合溝２３４Ａに係止片２２８が係合し、キャップ部２３０Ａは撮像管２１０Ａの突出方向とは反対の方向に移動して本体部２２０Ａの先端部に堅固に固定される。
【００６０】
一方、キャップ部２３０Ａを第１方向とは反対の第２方向（たとえば左方向）に回転させると係合溝２３４Ａが係止片２２８から外れるまで、キャップ部２３０Ａが撮像管２１０Ａの突出方向に移動する。
【００６１】
キャップ部２３０Ａの最も径が大きい端部にはすべり止め溝２３６Ａが形成されている。すべり止め溝２３６Ａは、Ｃ−Ｃ断面に示したように、キャップ部２３０Ａの全周に亘って設けられている。
【００６２】
図１５は、実施形態２に係る検視具２００Ａの透視図である。
【００６３】
本体部２２０Ａの先端部にはキャップ部２３０Ａが取り付けられる。キャップ部２３０Ａは、先端部に設けた係止片２２８と自身の係合溝２３４Ａとによって、堅固に本体部２２０Ａに取り付けられる。本体部２２０Ａから突出している撮像管２１０Ａは、キャップ部２３０Ａの保護部２３７Ａを貫通している。保護部２３７Ａは撮像管２１０Ａの全周を保護する。
【００６４】
本体部２２０Ａには、耳の内部を撮像するカメラ２４０Ａが内蔵されている。カメラ２４０Ａには光ファイバ２４５Ａが取り付けられている。光ファイバ２４５Ａは、撮像管２１０Ａ内を通り撮像管２１０Ａの先端部に設けられている撮像レンズ２６０Ａまでつながっている。したがって、撮像レンズ２６０Ａには光ファイバ２４５Ａを介してカメラ２４０Ａが接続されていることになる。また、撮像レンズ２６０Ａと照明部としてのＬＥＤ２７０Ａは撮像管２１０Ａの先端部内でその径方向に並べて配置されている。
【００６５】
このため、撮像レンズ２６０ＡはＬＥＤ２７０Ａが発生する熱によって耳道内の湿度による曇りが防止される。
【００６６】
［検視具の動作］
図１６から図１８は、実施形態２に係る検視具２００Ａの動作の説明図である。まず、検視具２００Ａを使用するときには、図１６に示すように、キャップ部２３０Ａの保護部２３７Ａを撮像管２１０Ａに挿入し、キャップ部２３０Ａが本体部２２０Ａの先端部に突き当たるまで、キャップ部２３０Ａを撮像管２１０Ａに沿って図示の矢印方向に滑らせる。
【００６７】
キャップ部２３０Ａが先端部に突き当たると、図１７に示すように、キャップ部２３０Ａを第１方向（図では右方向）に回転させる。すると、図１４に示した係合溝２３４Ａが図２の係止片２２８と係合され、キャップ部２３０Ａは図示の矢印方向にさらに移動して、本体部２２０Ａに堅固に取り付けられる。
【００６８】
この状態で、撮像管２１０Ａは保護部２３７Ａで覆われて保護されるので、撮像管２１０Ａを耳道内に挿入して耳の内部の状態を観察する。耳の内部の状態を観察している間は、図１５に示したＬＥＤ２７０Ａが点灯し、カメラ２４０Ａによって耳の内部の状態が撮像される。耳道内の湿度は、動物の種類によっては高いものがあるが、ＬＥＤ２７０Ａの熱によって撮像レンズ２６０Ａが暖められているので、撮像レンズ２６０Ａが曇ることはない。
【００６９】
耳の内部の状態の観察が終了したら、図１８に示すように、キャップ部２３０Ａを第２方向（図では左方向）に回転させる。すると、図１４に示した係合溝２３４Ａが図２の係止片２２８から外され、キャップ部２３０Ａは図示の矢印方向に移動する。このため、キャップ部２３０Ａが撮像管２１０Ａから取り外しやすくなる。
【００７０】
取り外しやすくなったキャップ部２３０Ａは操作者によって図１８に示すように、図示の矢印方向に移動され、撮像管２１０Ａから取り外される。
【００７１】
以上のように、実施形態２に係る検視具によれば、従来のものに比較して簡易な構造であるので導入コストが安価となり、撮像レンズ２６０Ａの曇りを防止する工夫がされているので鮮明な画像で耳の内部を観察でき、さらに、キャップ部２３０Ａの交換が可能であるので衛生面で高い信頼性が確保できる。
【符号の説明】
【００７２】
１００  耳道検視装置、
２００、２００Ａ  検視具、
２１０、２１０Ａ  撮像管、
２１２  保護チューブ、
２２０、２２０Ａ  本体部、
２２２  先端部、
２２４  第１テーパー部、
２２６  第２テーパー部、
２２８  係止片、
２３０、２３０Ａ  キャップ部、
２３２  貫通部、
２３４、２３４Ａ  係合溝、
２３５  保持部、
２３６、２３６Ａ  すべり止め溝、
２３７Ａ  保護部、
２３８  突き当て部、
２４０、２４０Ａ  カメラ、
２４５  光ファイバ、
２５０  ケーブル、
２６０、２６０Ａ  撮像レンズ、
２７０、２７０Ａ  ＬＥＤ、
３００  制御装置、
３３０  制御部、
３６０  画像処理部、
４００  ディスプレイ。
【図１】
2017225571.tif 000003
【図２】
2017225571.tif 000004
【図３】
2017225571.tif 000005
【図４】
2017225571.tif 000006
【図５】
2017225571.tif 000007
【図６】
2017225571.tif 000008
【図７】
2017225571.tif 000009
【図８】
2017225571.tif 000010
【図９】
2017225571.tif 000011
【図１０】
2017225571.tif 000012
【図１１】
2017225571.tif 000013
【図１２】
2017225571.tif 000014
【図１３】
2017225571.tif 000015
【図１４】
2017225571.tif 000016
【図１５】
2017225571.tif 000017
【図１６】
2017225571.tif 000018
【図１７】
2017225571.tif 000019
【図１８】
2017225571.tif 000020